(57)【特許請求の範囲】
【請求項１】
衛星信号を受信する受信手段と、
前記受信手段を作動させて受信処理を実行する受信制御部と、
時間を計測する計測処理を実行する計測部と、
操作手段と、
前記操作手段に対する前記計測処理の実行を指示する計測操作を検出し、前記計測操作を検出すると計測操作信号を出力する検出手段と、
前記受信処理に関する情報の指示、および、前記計測処理に関する情報の指示に兼用される指針と、
前記受信処理の実行中に、前記検出手段から出力された前記計測操作信号が入力されると、動作中の前記受信制御部に加えて前記計測部を動作させて前記受信処理および前記計測処理を同時に実行させ、前記受信処理に関する情報を指示している前記指針の動作を制御して、前記計測処理に関する情報を指示させる制御部と、を備える
ことを特徴とする電子時計。
【請求項２】
衛星信号を受信する受信手段と、
前記受信手段を作動させて受信処理を実行する受信制御部と、
時間を計測する計測処理を実行する計測部と、
前記受信処理に関する情報の指示、および、前記計測処理に関する情報の指示に兼用される指針と、
前記計測処理の実行中に、前記衛星信号の自動受信条件に該当すると、動作中の前記計測部に加えて前記受信制御部を動作させて前記受信処理および前記計測処理を同時に実行させ、前記指針に前記計測処理に関する情報を指示させる制御部と、を備える
ことを特徴とする電子時計。
【請求項３】
請求項２に記載の電子時計において、
前記電子時計に照射される光量を検出する光量検出手段を備え、
前記自動受信条件に該当する場合とは、前記光量検出手段で検出された光量が所定光量以上となる場合である
ことを特徴とする電子時計。
【請求項４】
請求項２または請求項３に記載の電子時計において、
操作手段と、
前記操作手段に対する前記受信処理の実行を指示する受信操作を検出し、前記受信操作を検出すると受信操作信号を出力する検出手段を備え、
前記制御部は、前記計測処理の実行中に、前記検出手段から出力された前記受信操作信号が入力されると、動作中の前記計測部に加えて前記受信制御部を動作させ、前記指針に前記計測処理に関する情報を指示させる
ことを特徴とする電子時計。
【請求項５】
請求項１から請求項４のいずれか一項に記載の電子時計において、
前記制御部は、前記受信処理および前記計測処理が実行されている状態から、前記計測処理が終了した場合、前記指針の動作を制御して、前記受信処理に関する情報を指示させる
ことを特徴とする電子時計。
【請求項６】
請求項１から請求項５のいずれか一項に記載の電子時計において、
前記制御部は、前記受信処理および前記計測処理が実行されている状態から、前記受信処理が終了し、前記受信処理の終了後に前記計測処理が終了した場合、前記指針の動作を
制御して、前記受信処理の受信結果を指示させる
ことを特徴とする電子時計。
【請求項７】
請求項１から請求項６のいずれか一項に記載の電子時計において、
前記衛星信号の受信中であることの表示、および、前記受信中であることの表示以外の情報の表示に兼用される表示手段を備え、
前記制御部は、前記受信処理および前記計測処理が実行されている場合に、前記表示手段を制御して、前記衛星信号の受信中であることを表示させる
ことを特徴とする電子時計。
【請求項８】
請求項１から請求項７のいずれか一項に記載の電子時計において、
操作手段と、
前記操作手段に対する表示の切り替えを指示する表示切替操作を検出し、前記表示切替操作を検出すると表示切替操作信号を出力する検出手段を備え、
前記制御部は、前記受信処理および前記計測処理が実行されている場合、前記検出手段から出力された前記表示切替操作信号が入力されると、前記指針の動作を制御して、前記受信処理に関する情報および前記計測処理に関する情報を切り替えて指示させる
ことを特徴とする電子時計。
【請求項９】
請求項１から請求項８のいずれか一項に記載の電子時計において、
電池と、
前記電池の電池電圧または電池残容量を検出する電池残量検出手段と、を備え、
前記制御部は、
前記受信制御部の動作中に、前記計測部の作動を指示する信号が入力された場合、または、前記計測部の動作中に、前記受信制御部の作動を指示する信号が入力されるか、前記受信制御部を作動させる条件に該当した場合は、
前記電池残量検出手段の検出値を予め設定された閾値と比較し、
前記検出値が前記閾値以上の場合に、前記受信制御部および前記計測部を動作させ、
前記検出値が前記閾値未満であり、かつ、前記受信制御部が動作中の場合は、前記受信制御部の終了動作と、前記計測部の作動動作とを開始させ、
前記検出値が前記閾値未満であり、かつ、前記計測部が動作中の場合は、前記受信制御部の作動動作は開始させない
ことを特徴とする電子時計。
【請求項１０】
衛星信号を受信する受信手段と、前記受信手段を作動させて受信処理を実行する受信制御部と、時間を計測する計測処理を実行する計測部と、操作手段と、前記操作手段に対する前記計測処理の実行を指示する計測操作を検出し、前記計測操作を検出すると計測操作信号を出力する検出手段と、前記受信処理に関する情報の指示、および、前記計測処理に関する情報の指示に兼用される指針と、を備える電子時計の制御方法であって、
前記受信処理の実行中に、前記検出手段から前記計測操作信号が出力されると、動作中の前記受信制御部に加えて前記計測部を動作させて前記受信処理および前記計測処理を同時に実行させ、前記受信処理に関する情報を指示している前記指針の動作を制御して、前記計測処理に関する情報を指示させる
ことを特徴とする電子時計の制御方法。
【請求項１１】
衛星信号を受信する受信手段と、前記受信手段を作動させて受信処理を実行する受信制御部と、時間を計測する計測処理を実行する計測部と、前記受信処理に関する情報の指示、および、前記計測処理に関する情報の指示に兼用される指針と、を備える電子時計の制御方法であって、
前記計測処理の実行中に、前記衛星信号の自動受信条件に該当すると、動作中の前記計測部に加えて前記受信制御部を動作させて前記受信処理および前記計測処理を同時に実行させ、前記指針に前記計測処理に関する情報を指示させる
ことを特徴とする電子時計の制御方法。
【発明の詳細な説明】
【技術分野】
【０００１】
本発明は、衛星信号を受信し、かつ、時間を計測する電子時計および電子時計の制御方法に関する。
【背景技術】
【０００２】
従来、ＧＰＳ（Global Positioning System）衛星から送信される衛星信号を受信して時刻情報を取得し、取得した時刻情報で内部時刻を更新する電子時計において、時間を計測するクロノグラフ機能を有するものがある（例えば、特許文献１参照）。
特許文献１のＧＰＳ付き腕時計は、手動操作により、または、所定のタイミングで自動的に、測時モードまたは測位モードで衛星信号の受信を開始する。また、時針、分針、秒針による時刻表示機能の他に、１２時間針、３０分針、センター針により経過時間を計測して表示するストップウォッチ機能（クロノグラフ機能）を備える。また、センター針は、経過時間を表示するだけでなく、衛星信号の受信時に、衛星信号を受信中であることを表示する。
【先行技術文献】
【特許文献】
【０００３】
【特許文献１】特開２０１０−９６５２３号公報
【発明の概要】
【発明が解決しようとする課題】
【０００４】
しかしながら、特許文献１のＧＰＳ付き腕時計では、受信機能とクロノグラフ機能とを同時に実行することについては開示されていない。腕時計では、電池サイズが小さいため、受信機能とクロノグラフ機能とを同時に実行することは難しかったが、近年、省電力化や電池の改良により、受信機能とクロノグラフ機能とを同時に実行することも想定されている。このため、受信機能とクロノグラフ機能とが同時に実行された場合に、各機能で兼用される指針の動作を適切に制御できて使い易さを向上できる電子時計が求められている。
【０００５】
本発明の目的は、衛星信号の受信機能と時間計測機能とを備え、かつ、使い易さを向上できる電子時計および電子時計の制御方法を提供することにある。
【課題を解決するための手段】
【０００６】
本発明の電子時計は、衛星信号を受信する受信手段と、前記受信手段を作動させて受信処理を実行する受信制御部と、時間を計測する計測処理を実行する計測部と、操作手段と、前記操作手段に対する前記計測処理の実行を指示する計測操作を検出し、前記計測操作を検出すると計測操作信号を出力する検出手段と、前記受信処理に関する情報の指示、および、前記計測処理に関する情報の指示に兼用される指針と、前記受信処理の実行中に、前記検出手段から出力された前記計測操作信号が入力されると、動作中の前記受信制御部に加えて前記計測部を動作させ、前記受信処理に関する情報を指示している前記指針の動作を制御して、前記計測処理に関する情報を指示させる制御部と、を備えることを特徴とする。
【０００７】
ここで、指針は、受信処理に関する情報として、例えば、捕捉しているＧＰＳ衛星の数を指示し、計測処理に関する情報として、例えば、計測時間を指示する。
本発明によれば、受信処理が実行されると、指針は受信処理に関する情報を指示する。そして、受信処理の実行中に、検出手段から計測操作信号が出力されると、動作中の受信制御部に加えて計測部が動作し、指針は計測処理に関する情報を指示する。
これによれば、ユーザーは、受信処理が実行されていても、操作手段に対して計測操作を行うことで、任意のタイミングで時間を計測でき、かつ、計測処理に関する情報を確認できる。時間の計測は、ユーザーが計測を開始したいと考えたタイミングで直ちに行う必要がある。また、ユーザーは、受信処理に関する情報については、受信処理の実行中、継続して確認することは少ないが、計測時間等の計測処理に関する情報については、時間経過に応じて変化するため、計測処理に関する情報を確認しながら時間の計測を行う場合、計測処理の実行中、計測処理に関する情報を継続して確認したいと考えることが多い。したがって、任意のタイミングで時間を計測でき、かつ、計測処理に関する情報を確認できることで、電子時計の使い易さを向上できる。
また、本発明によれば、受信処理の実行中に、検出手段から計測操作信号が出力され、計測部が動作しても、受信処理は継続されるため、衛星信号から時刻情報を取得できる機会を逃すことがない。
また、本発明によれば、１つの指針が受信処理に関する情報および計測処理に関する情報を指示するため、受信処理に関する情報を指示する指針と、計測処理に関する情報を指示する指針とが別々に設けられている場合と比べて、電子時計が備える指針の数を少なくできる。
【０００８】
本発明の電子時計は、衛星信号を受信する受信手段と、前記受信手段を作動させて受信処理を実行する受信制御部と、時間を計測する計測処理を実行する計測部と、前記受信処理に関する情報の指示、および、前記計測処理に関する情報の指示に兼用される指針と、前記計測処理の実行中に、前記衛星信号の自動受信条件に該当すると、動作中の前記計測部に加えて前記受信制御部を動作させ、前記指針に前記計測処理に関する情報を指示させる制御部と、を備えることを特徴とする。
【０００９】
自動受信条件に該当する場合としては、例えば、所定間隔で設定されている動作タイミングに該当する場合や、電子時計に照射される光量が所定光量以上となり、電子時計に日光が照射されていると判断できる場合、すなわち、電子時計が屋外に配置されていると判断できる場合がある。なお、電子時計に照射される光量が所定光量以上となり行われる受信処理の回数は、１日に１回などに制約してもよい。
本発明によれば、計測処理が実行されると、指針は計測処理に関する情報を指示する。そして、計測処理の実行中に、自動受信条件に該当すると、動作中の計測部に加えて受信制御部が動作し、指針は引き続き計測処理に関する情報を指示する。
これによれば、ユーザーは、時間を計測している際に、自動受信条件に該当して受信処理が実行されても、引き続き時間を計測でき、かつ、計測処理に関する情報を確認できることで、電子時計の使い易さを向上できる。
また、本発明によれば、計測部の動作中でも、自動受信条件に該当すれば、受信制御部が動作し、受信処理が実行されるため、衛星信号から時刻情報を取得できる機会を逃すことがない。
また、本発明によれば、１つの指針が受信処理に関する情報および計測処理に関する情報を指示するため、受信処理に関する情報を指示する指針と、計測処理に関する情報を指示する指針とが別々に設けられている場合と比べて、電子時計が備える指針の数を少なくできる。
【００１０】
本発明の電子時計において、前記電子時計に照射される光量を検出する光量検出手段を備え、前記自動受信条件に該当する場合とは、前記光量検出手段で検出された光量が所定光量以上となる場合であることが好ましい。
【００１１】
本発明によれば、電子時計に照射される光量が所定光量以上となり、電子時計に日光が照射されていると判断できる場合、すなわち、時計が屋外に配置されていると判断できる場合に、受信処理が実行される。これによれば、受信が屋外で行われる可能性が高く、比較的高い確率で時刻情報を取得できる。また、比較的短時間で時刻情報を取得できるため、受信制御部の動作時間を短くでき、受信制御部とクロノグラフ部が同時に動作している時間も短くできる。これにより、省電力化できるとともに、処理負荷を低減できる。
【００１２】
本発明の電子時計において、操作手段と、前記操作手段に対する前記受信処理の実行を指示する受信操作を検出し、前記受信操作を検出すると受信操作信号を出力する検出手段を備え、前記制御部は、前記計測処理の実行中に、前記検出手段から出力された前記受信操作信号が入力されると、動作中の前記計測部に加えて前記受信制御部を動作させ、前記指針に前記計測処理に関する情報を指示させることが好ましい。
【００１３】
本発明によれば、計測処理が実行されると、指針は計測処理に関する情報を指示する。そして、計測処理の実行中に、受信操作信号が出力されると、動作中の計測部に加えて受信制御部が動作し、指針は引き続き計測処理に関する情報を指示する。
これによれば、ユーザーは、時間を計測している際に、受信処理を実行させたいと考え、操作手段に対して受信操作を行えば、受信処理を実行させることができる。
【００１４】
本発明の電子時計において、前記制御部は、前記受信処理および前記計測処理が実行されている状態から、前記計測処理が終了した場合、前記指針の動作を制御して、前記受信処理に関する情報を指示させることが好ましい。
【００１５】
本発明によれば、受信処理および計測処理が同時に実行されている状態から、計測処理が先に終了した場合、指針は、計測処理に関する情報を指示する状態から、自動的に受信処理に関する情報を指示する状態に切り替わる。このため、ユーザーは、操作手段を操作することなく、受信処理に関する情報を確認できる。
【００１６】
本発明の電子時計において、前記制御部は、前記受信処理および前記計測処理が実行されている状態から、前記受信処理が終了し、前記受信処理の終了後に前記計測処理が終了した場合、前記指針の動作を制御して、受信結果を指示させることが好ましい。
【００１７】
本発明によれば、受信処理および計測処理が同時に実行されている状態から、受信処理が先に終了し、その後に計測処理が終了した場合、指針は、計測処理に関する情報を指示する状態から、自動的に受信結果を指示する状態に切り替わる。このため、ユーザーは、操作手段を操作することなく、受信結果を確認できる。
【００１８】
本発明の電子時計において、前記衛星信号の受信中であることの表示、および、前記受信中であることの表示以外の情報の表示に兼用される表示手段を備え、前記制御部は、前記受信処理および前記計測処理が実行されている場合に、前記表示手段を制御して、前記衛星信号の受信中であることを表示させることが好ましい。
【００１９】
ここで、受信中であることの表示以外の情報の表示は、例えば、時刻情報の表示等である。
本発明によれば、受信処理および計測処理が実行され、指針が計測処理に関する情報を指示していても、表示手段が衛星信号を受信中であることを表示するため、ユーザーは、衛星信号を受信中であることを確認できる。これにより、ユーザーは、屋外から屋内に移動するなど、衛星信号の受信に適さない行動をとることを控えることができ、また、電子時計が衛星信号を通過させないもの等で隠れることがないように注意することができる。これにより、時刻情報の取得に成功する確率を向上できる。
また、表示手段は、時刻情報の表示等の受信中であることの表示以外の情報の表示に兼用されるため、衛星信号の受信中であることのみを表示する専用の表示手段を設ける場合と比べて、電子時計の構造を簡略化できる。
【００２０】
本発明の電子時計において、操作手段と、前記操作手段に対する表示の切り替えを指示する表示切替操作を検出し、前記表示切替操作を検出すると表示切替操作信号を出力する検出手段を備え、前記制御部は、前記受信処理および前記計測処理が実行されている場合、前記検出手段から出力された前記表示切替操作信号が入力されると、前記指針の動作を制御して、前記受信処理に関する情報および前記計測処理に関する情報を切り替えて指示させることが好ましい。
【００２１】
本発明によれば、受信処理および計測処理が実行され、指針が計測処理に関する情報を指示している場合でも、ユーザーは、時間の計測がしばらく続くような場合に受信処理に関する情報を確認したいと考えて、操作手段に対して表示切替操作を行えば、受信処理に関する情報を確認できる。そして、受信処理に関する情報を確認した後、再び表示切替操作を行えば、計測処理に関する情報を確認できる。
【００２２】
本発明の電子時計において、電池と、前記電池の電池電圧または電池残容量を検出する電池残量検出手段と、を備え、前記制御部は、前記受信制御部の動作中に、前記計測部の作動を指示する信号が入力された場合、または、前記計測部の動作中に、前記受信制御部の作動を指示する信号が入力されるか、前記受信制御部を作動させる条件に該当した場合は、前記電池残量検出手段の検出値を予め設定された閾値と比較し、前記検出値が前記閾値以上の場合に、前記受信制御部および前記計測部を動作させ、前記検出値が前記閾値未満であり、かつ、前記受信制御部が動作中の場合は、前記受信制御部の終了動作と、前記計測部の作動動作とを開始させ、前記検出値が前記閾値未満であり、かつ、前記計測部が動作中の場合は、前記受信制御部の作動動作は開始させないことが好ましい。
【００２３】
本発明によれば、電池残量検出手段の検出値が閾値未満の場合、受信制御部および計測部が同時に動作することが規制される。このため、受信制御部および計測部が同時に動作することがある場合と比べて、消費電力を低減できるため、突然のシステムダウンを抑制でき、かつ、電池の持続時間を長くできる。
また、時間の計測は、ユーザーが計測を開始したいと考えたタイミングで直ちに行う必要があるが、受信処理は後で行うことも可能である。このため、計測部が受信制御部よりも優先して動作することで、電子時計を使い易くできる。
【００２４】
本発明は、衛星信号を受信する受信手段と、前記受信手段を作動させて受信処理を実行する受信制御部と、時間を計測する計測処理を実行する計測部と、操作手段と、前記操作手段に対する前記計測処理の実行を指示する計測操作を検出し、前記計測操作を検出すると計測操作信号を出力する検出手段と、前記受信処理に関する情報の指示、および、前記計測処理に関する情報の指示に兼用される指針と、を備える電子時計の制御方法であって、前記受信処理の実行中に、前記検出手段から前記計測操作信号が出力されると、動作中の前記受信制御部に加えて前記計測部を動作させ、前記受信処理に関する情報を指示している前記指針の動作を制御して、前記計測処理に関する情報を指示させることを特徴とする。
また、本発明は、衛星信号を受信する受信手段と、前記受信手段を作動させて受信処理を実行する受信制御部と、時間を計測する計測処理を実行する計測部と、前記受信処理に関する情報の指示、および、前記計測処理に関する情報の指示に兼用される指針と、を備える電子時計の制御方法であって、前記計測処理の実行中に、前記衛星信号の自動受信条件に該当すると、動作中の前記計測部に加えて前記受信制御部を動作させ、前記指針に前記計測処理に関する情報を指示させることを特徴とする。
これらの電子時計の制御方法の発明によれば、上記の電子時計の発明と同様の効果を得ることができる。
【図面の簡単な説明】
【００２５】
【図１】本発明の第１実施形態に係る電子時計を示す概略図である。
【図２】第１実施形態における電子時計の平面図である。
【図３】第１実施形態における電子時計の断面図である。
【図４】第１実施形態における電子時計の電気制御ブロック図である。
【図５】第１実施形態における記憶装置のデータ構造図である。
【図６】第１実施形態における動作制御処理を示すフローチャートである。
【図７】第１実施形態における受信制御処理を示すフローチャートである。
【図８】第１実施形態におけるクロノグラフ制御処理を示すフローチャートである。
【図９】第１実施形態における電子時計の表示例を示す図である。
【図１０】第１実施形態における電子時計の表示例を示す図である。
【図１１】第１実施形態における電子時計の表示例を示す図である。
【図１２】本発明の第２実施形態に係るクロノグラフ制御処理を示すフローチャートである。
【図１３】第２実施形態における表示切替判定処理を示すフローチャートである。
【図１４】本発明の第３実施形態に係る電子時計の電気制御ブロック図である。
【図１５】第３実施形態における動作制御処理を示すフローチャートである。
【発明を実施するための形態】
【００２６】
以下、本発明の具体的な実施形態を図面に基づいて説明する。
［第１実施形態］
［電子時計を含むＧＰＳの概略構成］
図１は、第１実施形態の電子時計１０を示す概略図である。まず、電子時計１０が、衛星信号を用いて、現在地の位置情報と、時刻情報とを求めるＧＰＳの概要を説明する。
【００２７】
電子時計１０は、ＧＰＳ衛星１００からの衛星信号（電波）を受信して内部時刻を修正する腕時計であり、腕と接触する側の面（以下、裏面という）の反対側の面（以下、表面という）に時刻を表示する。ＧＰＳ衛星１００は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋円偏波の円偏波である。
【００２８】
現在、約３０個のＧＰＳ衛星１００（図１においては、４個のみを図示）が存在しており、衛星信号がどのＧＰＳ衛星１００から送信されたかを識別するために、各ＧＰＳ衛星１００はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００２９】
ＧＰＳ衛星１００は原子時計を搭載しており、衛星信号には原子時計で計時された極めて正確なＧＰＳ時刻情報が含まれている。また、地上のコントロールセグメントにより各ＧＰＳ衛星１００に搭載されている原子時計のわずかな時刻誤差が測定されており、衛星信号にはその時刻誤差を補正するための時刻補正パラメーターも含まれている。電子時計１０は、１つのＧＰＳ衛星１００から送信された衛星信号を受信し、その中に含まれるＧＰＳ時刻情報と時刻補正パラメーターとを使用して得られた正確な時刻（時刻情報）を内部時刻とする。
【００３０】
衛星信号にはＧＰＳ衛星１００の軌道上の位置を示す軌道情報も含まれている。電子時計１０は、ＧＰＳ時刻情報と軌道情報とを使用して測位計算を行うことができる。測位計算は、電子時計１０の内部時刻にある程度の誤差が含まれていることを前提として行われる。
すなわち、電子時計１０の三次元の位置を特定するためのｘ，ｙ，ｚパラメーターに加えて時刻誤差も未知数になる。そのため、電子時計１０は、一般的には４つ以上のＧＰＳ衛星１００からそれぞれ送信された衛星信号を受信し、その中に含まれるＧＰＳ時刻情報と軌道情報を使用して測位計算を行い、現在地の位置情報を求める。
【００３１】
［電子時計の概略構成］
図２は、電子時計１０を表面側から見た平面図であり、図３は、電子時計１０の概略を示す断面図である。本実施形態の電子時計１０は、衛星信号の受信機能に加えて、クロノグラフ機能を備えている。
【００３２】
電子時計１０は、図２および図３に示すように、外装ケース３０と、カバーガラス３３と、裏蓋３４とを備えている。外装ケース３０は、金属で形成された円筒状のケース３１に、セラミックで形成されたベゼル３２が嵌合されて構成されている。このベゼル３２の内周側に、プラスチックで形成されたリング状のダイヤルリング４０を介して、円盤状の文字板１１が時刻表示部分として配置されている。
【００３３】
文字板１１には、指針２１，２２，２３が備えられている。また、文字板１１には、中心より、２時方向に円形の第１小窓７０と指針７１とが、１０時方向に円形の第２小窓８０と指針８１とが、６時方向に円形の第３小窓９０と指針９１とが、４時方向に矩形のカレンダー小窓１５が設けられている。文字板１１、指針２１，２２，２３、第１小窓７０、第２小窓８０、第３小窓９０およびカレンダー小窓１５などは、カバーガラス３３を透して、視認可能となっている。
また、文字板１１の裏面側にはカレンダー車（日車）１６が配置され、このカレンダー車１６はカレンダー小窓１５から視認可能となっている。
【００３４】
外装ケース３０の側面には、文字板１１の中心より、８時方向の位置にＡボタン６１と、１０時方向の位置にＢボタン６２と、２時方向の位置にＣボタン６３と、４時方向の位置にＤボタン６４と、３時方向の位置にリューズ５０とが、設けられている。これらのＡボタン６１、Ｂボタン６２、Ｃボタン６３、Ｄボタン６４およびリューズ５０が操作されることにより、操作に応じた操作信号が出力される。
【００３５】
電子時計１０は、図３に示すように、金属製の外装ケース３０の二つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、各指針２１，２２，２３と、図３では図示しない指針７１，８１，９１およびカレンダー車１６とを駆動する駆動機構１４０などが備えられている。
指針軸２５は、外装ケース３０の平面視中心を通り、表裏方向に延在する中心軸に沿って設けられている。
【００３６】
ダイヤルリング４０は、外周端が、ベゼル３２の内周面に接触しているとともに、一面がカバーガラス３３と並行している平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面と、によりドーナツ形状の収納空間が形成されており、この収納空間内には、リング状のアンテナ体１１０が収納されている。
【００３７】
このアンテナ体１１０は、リング形状の誘電体を基材として、これに金属のアンテナパターンをメッキや銀ペースト印刷などにより形成したものである。このアンテナ体１１０は、文字板１１の外周に配置されており、ベゼル３２の内周面側に配置され、さらにプラスチックで形成されたダイヤルリング４０、およびカバーガラス３３で覆われているため、良好な受信を確保することが可能となっている。誘電体としては、酸化チタンなどの高周波で使える誘電材料を樹脂に混ぜて成形することができ、これにより誘電体の波長短縮と相俟ってアンテナをより小型化できる。
【００３８】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
文字板１１と、駆動機構１４０が取り付けられている地板１２５との間には、光発電を行うソーラーパネル１３５が備えられている。ソーラーパネル１３５は、光エネルギーを電気エネルギー（電力）に変換する複数のソーラーセル（光発電素子）を直列接続した円形の平板である。また、ソーラーパネル１３５は、太陽光の検出機能も有している。文字板１１、ソーラーパネル１３５および地板１２５には、指針軸２５と、第１小窓７０の指針７１、第２小窓８０の指針８１および第３小窓９０の指針９１の指針軸（図示せず）とが貫通する穴が形成されているとともに、カレンダー小窓１５の開口部が形成されている。
【００３９】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５等を回転させることにより、各指針を駆動する。
駆動機構１４０は、具体的には、第１〜第６駆動機構を備える。第１駆動機構は、内部時計（現在時刻）の「分」および「時」を示す指針（分針）２２および指針（時針）２３を駆動する。また、図２に示す指針２１、第１小窓７０の指針７１、第２小窓８０の指針８１および第３小窓９０の指針９１も同様の駆動機構（図示略）で駆動される。すなわち、第２駆動機構はクロノグラフ機能の「秒」を示す指針（クロノグラフ秒針）２１を駆動し、第３駆動機構はクロノグラフ機能の「分」を示す指針（クロノグラフ分針）７１を駆動し、第４駆動機構は、内部時計の「秒」を示す指針（小秒針）８１を駆動し、第５駆動機構はクロノグラフ機能の「時」を示す指針（クロノグラフ時針）９１を駆動し、第６駆動機構は、カレンダー小窓１５から視認されるカレンダー車１６を駆動する。
【００４０】
回路基板１２０は、受信装置（ＧＰＳモジュール）１２１、制御装置３００、記憶装置２００を備えている。ここで、受信装置１２１は、本発明の受信手段を構成する。また、この回路基板１２０とアンテナ体１１０とは、アンテナ接続ピン１１５を用い接続されている。受信装置１２１、制御装置３００、記憶装置２００が設けられた回路基板１２０の裏蓋３４側（裏面側）には、これらの回路部品を覆うための回路押さえ１２２が設けられている。また、リチウムイオン電池などの二次電池１３０が、地板１２５と裏蓋３４との間に設けられている。二次電池１３０は、ソーラーパネル１３５が発電した電力で充電される。
【００４１】
アンテナ体１１０は、給電点を通じて給電され、この給電点には、アンテナ体１１０の裏面側に配置されたアンテナ接続ピン１１５が接続されている。アンテナ接続ピン１１５は金属で形成されたピン状のコネクターであり、回路基板１２０に突設されて、地板１２５に開口された挿通孔を貫通されて収納空間内へ挿通されている。これにより、回路基板１２０と、収納空間内部のアンテナ体１１０とが、アンテナ接続ピン１１５で接続されている。
【００４２】
［電子時計の表示機構］
文字板１１の最外周には、図２に示すように、外周を６０分割にする目盛と、さらに、この目盛を５分割にする１／５目盛とが、表記されている。これらの目盛を用いて、指針２１は、時間を計測する計測処理に関する情報として、クロノグラフ機能の「秒」を表示（指示）する。なお、この表示は、ユーザーがＣボタンを操作し、電子時計１０が後述するクロノグラフ制御処理を実行している場合に行われる。
また、文字板１１の最外周には、外周を１２分割にする目盛が表記されている。この目盛を用いて、指針２１は、衛星信号を受信する受信処理に関する情報として、電子時計１０が捕捉しているＧＰＳ衛星１００の数（捕捉衛星数）を表示（指示）する。なお、本実施形態の電子時計１０は、１２個の衛星信号を同時に捕捉、受信できるように１２チャンネルの受信回路を備えている。このため、指針２１は、捕捉衛星数が１２個の場合まで指示可能に構成されている。具体的に、指針２１は、捕捉衛星数が１，２，３…１２の場合、１時位置、２時位置、３時位置…１２時位置を指示する。なお、この表示は、電子時計１０が受信処理を実行し、かつ、クロノグラフ制御処理を実行していない場合に行われる。
このように、指針２１は、受信処理に関する情報の指示、および、計測処理に関する情報の指示に兼用される本発明の指針を構成する。
また、これらの文字板１１の最外周の目盛を用いて、指針２２は内部時計の「分」を表示し、指針２３は内部時計の「時」を表示する。
【００４３】
文字板１１に設けられている、円形の第１小窓７０の外周には、外周を６０分割にする目盛と、「１０」から「６０」までの１０刻みの数字が表記されている。指針７１は、この目盛を用いてクロノグラフ機能の「分」を表示する。なお、この表示は、電子時計１０がクロノグラフ制御処理を実行している場合に行われる。
また、第１小窓７０の外周には、「１０」と「２０」の間に、「Ｒｘ」の英字が表記されている。この英字は、ＧＰＳ衛星１００から衛星信号を受信中であることを示す。この英字を指示することで、受信処理に関する表示として、指針７１は衛星信号を受信中であることを表示する。なお、この表示は、電子時計１０が受信処理を実行し、かつ、クロノグラフ制御処理を実行していない場合に行われる。
電子時計１０が受信処理もクロノグラフ制御処理も実行していない場合には、指針７１は０分位置（「６０」の位置）に停止している。
【００４４】
文字板１１に設けられている円形の第２小窓８０の外周には、外周を６０分割にする目盛と、「０」から「１１」までの数字が表記されている。指針８１は、この目盛を用いて内部時計の「秒」を表示（指示）する。
また、第２小窓８０の外周には、「２」と「３」の間に、ＧＰＳ衛星１００から衛星信号を受信中であることを示す「Ｒｘ」の英字が表記されている。この英字を指示することで、指針８１は衛星信号を受信中であることを表示（指示）する。なお、この表示は、電子時計１０が受信処理を実行し、かつ、クロノグラフ制御処理を実行している場合に行われる。
ここで、指針８１は本発明の表示手段を構成し、内部時刻の「秒」は本発明の受信中であること以外の情報を構成する。
指針８１は、電子時計１０が受信処理を実行し、かつクロノグラフ制御処理を実行していない場合、および、クロノグラフ制御処理を実行し、かつ受信処理を実行していない場合、内部時計の「秒」を表示している。
【００４５】
文字板１１に設けられている円形の第３小窓９０の外周について説明する。以下の外周の範囲の説明において、「ｎ時方向」（ｎは任意の自然数）とあるが、これは第３小窓９０の中央から円形の外周をみたときの方向である。
第３小窓９０の１２時方向から６時方向までの範囲の外周には、この範囲を６分割する目盛と「０」から「５」までの数字が表記されている。指針９１は、この目盛を用いて、クロノグラフ機能の「時」を表示する。なお、この表示は、電子時計１０がクロノグラフ制御処理を実行している場合に行われる。また、クロノグラフ機能では、指針２１，７１，９１を使用して５時間５９分５９秒までの計時が可能となっている。
【００４６】
第３小窓９０の６時方向から７時方向の範囲の外周には、「ＤＳＴ」の英字と「○」の記号が表記されている。ＤＳＴ（daylight saving time）は夏時間を意味する。これらの英字と記号とは、夏時間（ＤＳＴ：夏時間ＯＮ、○：夏時間ＯＦＦ）の設定を表す。ユーザーがリューズ５０とＢボタン６２を操作して、指針９１を「ＤＳＴ」または「○」に合わせることで、電子時計１０に夏時間のＯＮ／ＯＦＦを設定することができる。
【００４７】
第３小窓９０の７時方向から９時方向までの範囲の外周には、円周に沿って、９時方向の基端が太く、７時方向の先端が細い三日月鎌状の記号９２が表記されている。この記号９２は二次電池１３０（図３参照）のパワーインジケーターであり、電池の残量に応じて、指針９１が基端、先端、中間のいずれかを指し示す。
【００４８】
第３小窓９０の９時方向から１０時方向までの範囲の外周には、飛行機形状の記号９３が表記されている。この記号は、機内モードを表す。航空機の離着陸時は、航空法によって衛星信号の受信が禁止されている。ユーザーはＡボタン６１を操作し、指針９１で記号９３（機内モード）を選択することで、電子時計１０が衛星信号の受信を行わないようにすることができる。
【００４９】
第３小窓９０の１０時方向から１２時方向までの範囲の外周には、「１」の数字と「４＋」の記号が表記されている。これらの数字と記号は、衛星信号の受信モードを表す。「１」はＧＰＳ時刻情報を受信し内部時刻が修正されること（測時モード）を、「４＋」はＧＰＳ時刻情報と軌道情報とを受信し、内部時刻と後述するタイムゾーンとが修正されること（測位モード）を意味する。指針９１は、「１」または「４＋」を指示することで、受信モードを表示する。なお、この表示は、電子時計１０が受信処理を実行し、かつ、クロノグラフ制御処理を実行していない場合に、受信処理に関する表示として行われる。
また、ユーザーはＡボタン６１を操作して受信モードを設定できる。すなわち、指針９１で「１」を選択すると時刻情報の受信モード（測時モード）が設定される。また、指針９１で「４＋」を選択すると位置情報の受信モード（測位モード）が設定される。
さらに、ユーザーがＢボタン６２を操作して受信結果の表示モードを選択すると、指針９１が「１」または「４＋」のいずれかを指し示し、電子時計１０が直前に受信した衛星信号の受信モードを表示する。
【００５０】
カレンダー小窓１５は、文字板１１を矩形状に開口した開口部に設けられており、開口部からカレンダー車１６に印刷された数字が視認可能となっている。この数字は、年月日の「日」を表す。
【００５１】
ここで、協定世界時（ＵＴＣ）と、時差と、標準時と、タイムゾーン（Time zone）との関係を説明する。
タイムゾーンとは、共通の標準時を使用する地域のことであり、現在、４０種類のタイムゾーンが存在している。各タイムゾーンは、標準時とＵＴＣとの時差で区別され、例えば、日本は、ＵＴＣより９時間進んだ標準時を使用する、＋９時間のタイムゾーンに属している。各タイムゾーンで使用されている標準時は、ＵＴＣと、ＵＴＣとの時差とで求めることができる。
【００５２】
上述したように、文字板１１には、６０分割された分および秒を表示する目盛が刻まれ、文字板１１の外周部を囲むダイヤルリング４０には、この目盛に沿って、協定世界時（ＵＴＣ）との時差を表す時差情報４５が数字と、数字以外の記号とで表記されている。数字の時差情報４５は整数の時差であり、記号の時差情報４５は整数以外の時差であることを表している。指針２２，２３，８１で表示された内部時刻と、ＵＴＣとの時差は、リューズ５０の操作により指針２１の指し示す時差情報４５で確認することができる。
また、ダイヤルリング４０の周囲に設けられているベゼル３２には、ダイヤルリング４０に表記されている時差情報４５の時差に対応した標準時を使用しているタイムゾーンの代表都市名を表す都市情報３５が、時差情報４５に併記されている。ここで、時差情報４５と都市情報３５との表記をタイムゾーン表示４６という。本実施形態では、全世界で使用されているタイムゾーンの数と等しいタイムゾーン表示４６が表記されている。
【００５３】
また、ダイヤルリング４０には、文字板１１の５１分位置の外側の位置にアルファベットの「Ｙ」と、３８分位置の外側の位置にアルファベットの「Ｎ」の英字が表記されている。この英字は、ＧＰＳ衛星１００から受信した衛星信号に基づく各種情報の取得結果（Ｙ：受信（取得）成功、Ｎ：受信（取得）失敗）を示す。指針２１は、「Ｙ」および「Ｎ」のいずれか一方を指示し、受信処理に関する情報として、衛星信号の受信結果、すなわち情報の取得結果を表示（指示）する。
なお、受信結果の表示は、電子時計１０が受信処理を終了したときであって、クロノグラフ制御処理を実行していない場合に行われる。また、この表示は、ユーザーがＢボタン６２を操作し、受信結果の表示モードに移行した場合にも行われる。
【００５４】
［電子時計の電気的機構］
図４は、電子時計１０の電気制御ブロック図である。
電子時計１０は、図４に示すように、ＣＰＵ（中央処理装置）で構成される制御装置３００、ＲＡＭ（Random Access Memory）やＲＯＭ（Read Only Memory）で構成される記憶装置２００、受信装置１２１、入力装置１６０、検出装置１７０、駆動機構１４０、表示装置１４１、計時装置１５０を備えている。これらの各装置は、データバスを介してデータを送受信する。
入力装置１６０は、図２に示すリューズ５０、Ａボタン６１、Ｂボタン６２、Ｃボタン６３、Ｄボタン６４を備えて構成される。検出装置１７０は、入力装置１６０に対する各種操作を検出し、操作を検出すると、操作に応じた操作信号を制御装置３００に出力する。ここで、入力装置１６０は、本発明の操作手段を構成し、検出装置１７０は、本発明の検出手段を構成する。
表示装置１４１は、図２に示す文字板１１、ダイヤルリング４０、ベゼル３２、指針２１，２２，２３，７１，８１，９１を備えて構成される。
なお、電子時計１０は、電源となる充電可能な二次電池１３０（図３参照）を内蔵している。二次電池１３０は、ソーラーパネル１３５から充電回路１３１を介して供給される電力で充電される。
【００５５】
［受信装置］
受信装置１２１は、アンテナ体１１０に接続され、アンテナ体１１０を介して受信した衛星信号を処理してＧＰＳ時刻情報や位置情報を取得する。アンテナ体１１０は、地球の上空を所定の軌道で周回している複数のＧＰＳ衛星１００（図１参照）から送信され、図３に示すカバーガラス３３とダイヤルリング４０とを通過した衛星信号の電波を受信する。
【００５６】
そして、受信装置１２１は、図示を略すが、通常のＧＰＳ装置と同様に、ＧＰＳ衛星１００（図１参照）から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）からＧＰＳ時刻情報や位置情報（測位情報）を取得して出力する情報取得手段と、を備えている。
【００５７】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００５８】
ＢＢ部は、ＧＰＳ衛星１００で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００５９】
情報取得手段は、ＢＢ部で復調した航法メッセージからＧＰＳ時刻情報や位置情報を取得する。航法メッセージには、プリアンブルデータおよびＨＯＷワードのＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星１００毎の詳細な軌道情報）や、アルマナック（全ＧＰＳ衛星１００の概略軌道情報）などのデータが含まれている。したがって、情報取得手段は、受信した航法メッセージから所定のデータ部分を抽出することにより、ＧＰＳ時刻情報や位置情報を取得することができる。
【００６０】
また、サブフレーム４および５は、全衛星の軌道情報（アルマナック）や電離層補正情報が含まれ、これらはデータ数が多いためにページ単位に分割されてサブフレームに収容される。すなわち、サブフレーム４および５により送信されるデータは、それぞれページ１〜２５に分割されており、フレームごとに異なるページの内容が順番に送られている。すべてのページの内容を送信するには２５フレームを必要とするため、航法メッセージの全情報を受信するには１２分３０秒の時間を要する。なお、閏秒情報（閏秒更新情報）は、サブフレーム４のページ１８に格納されており、当該サブフレーム４のページ１８を受信すれば、閏秒情報を取得できる。
【００６１】
［計時装置］
計時装置１５０は、二次電池１３０に蓄積された電力で駆動される水晶振動子等を備え、水晶振動子の発振信号に基づく基準信号を用いて時刻データを更新する。
【００６２】
［記憶装置］
記憶装置２００は、図５に示すように、時刻データ記憶部２１０と、タイムゾーンデータ記憶部２２０と、定時受信時刻記憶部２３０とを備えている。
時刻データ記憶部２１０には、受信時刻データ２１１と、閏秒更新データ２１２と、内部時刻データ２１３と、時計表示用時刻データ２１４と、タイムゾーンデータ２１５とが記憶される。
受信時刻データ２１１には、衛星信号から取得した時刻情報（ＧＰＳ時刻）が記憶される。この受信時刻データ２１１は、通常は計時装置１５０によって１秒毎に更新され、衛星信号を受信した際には、取得した時刻情報（ＧＰＳ時刻）が記憶される。
閏秒更新データ２１２には、少なくとも現在の閏秒のデータが記憶される。すなわち、衛星信号のサブフレーム４、ページ１８には、閏秒に関するデータとして、「現在の閏秒」、「閏秒の更新週」、「閏秒の更新日」、「更新後の閏秒」の各データが含まれる。このうち、本実施形態では、少なくとも「現在の閏秒」のデータを、閏秒更新データ２１２に記憶している。
【００６３】
内部時刻データ２１３には、内部時刻情報が記憶される。この内部時刻情報は、受信時刻データ２１１に記憶されたＧＰＳ時刻と、閏秒更新データ２１２に記憶している「現在の閏秒」とによって更新される。すなわち、内部時刻データ２１３には、ＵＴＣ（協定世界時）が記憶されることになる。受信時刻データ２１１が前記計時装置１５０で更新される際に、この内部時刻情報も更新される。
【００６４】
時計表示用時刻データ２１４には、前記内部時刻データ２１３の内部時刻情報に、タイムゾーンデータ２１５のタイムゾーンデータ（時差情報）を加味した時刻データが記憶される。タイムゾーンデータ２１５は、ユーザーが手動で選択した場合や測位モードで受信した場合に得られる位置情報で設定される。
【００６５】
タイムゾーンデータ記憶部２２０は、位置情報（緯度、経度）とタイムゾーン（時差情報）とを関連付けて記憶している。このため、測位モードで位置情報を取得した場合、制御装置３００は、その位置情報（緯度、経度）に基づいてタイムゾーンデータを取得できるようにされている。
【００６６】
なお、タイムゾーンデータ記憶部２２０には、さらに、都市名とタイムゾーンデータとが関連付けて記憶されている。したがって、前述のとおり、リューズ５０等の入力装置１６０の操作によって、ユーザーが現地時刻を知りたい都市名を選択すると、制御装置３００は、タイムゾーンデータ記憶部２２０に対してユーザーが設定した都市名を検索し、その都市名に対応するタイムゾーンデータを取得してタイムゾーンデータ２１５に設定する。
【００６７】
定時受信時刻記憶部２３０には、後述する定時自動受信処理を実行する定時受信時刻が記憶される。この定時受信時刻は、前回、Ｂボタン６２を操作して実行した強制受信が成功した時刻である。
【００６８】
なお、記憶装置２００には、位置情報衛星の軌道情報（アルマナック、エフェメリス）は記憶されていない。電子時計１０は、腕時計であり、記憶装置２００の容量にも制約があり、また、二次電池１３０の容量にも制約があって軌道情報を取得するための長時間の受信を行うことが難しいためである。したがって、電子時計１０の受信処理は、軌道情報を有していないコールドスタート状態で行われる。
【００６９】
［制御装置］
制御装置３００は、電子時計１０を制御するＣＰＵで構成されている。制御装置３００は、受信制御部３１１と、クロノグラフ部３１２と、動作制御部３１３と、タイムゾーン設定部３１４と、タイムゾーン修正部３１５と、時刻修正部３１６とを備える。
【００７０】
［動作制御部］
動作制御部３１３は、受信制御部３１１およびクロノグラフ部３１２の動作を制御する。ここで、動作制御部３１３は、本発明の制御部を構成する。
動作制御部３１３は、自動受信条件に該当した場合、受信制御部３１１を動作させる。これにより、受信制御部３１１は、受信装置１２１を作動して測時モードでの自動受信処理を行う。
自動受信処理は、定時自動受信処理と、光自動受信処理の２種類がある。
動作制御部３１３は、所定間隔で設定された自動受信タイミングに該当すると、受信制御部３１１を作動し、測時モードでの定時自動受信処理を実行させる。例えば、動作制御部３１３は、３日に１回の間隔で、計時している時計表示用時刻データ２１４が、定時受信時刻記憶部２３０に記憶された定時受信時刻になった場合に、受信制御部３１１を作動し、測時モードでの定時自動受信処理を実行させる。
また、動作制御部３１３は、電子時計１０に照射される光量を検出する光量検出装置１３６で検出された光量が所定光量以上となり、屋外において電子時計１０に日光が照射していると判断できる場合に、受信制御部３１１を作動し、測時モードでの光自動受信処理を実行させる。光量検出装置１３６は、例えば、ソーラーパネル１３５の発電電圧または発電電流を検出して、電子時計１０に照射される光量を検出する。なお、光自動受信処理で受信装置１２１を作動する処理の回数は、１日に１回などに制約してもよい。ここで、光量検出装置１３６は、本発明の光量検出手段を構成する。
自動受信処理が行われると、受信装置１２１は、少なくとも１つのＧＰＳ衛星１００を捕捉し、そのＧＰＳ衛星１００から送信される衛星信号を受信して時刻情報を取得する。
【００７１】
動作制御部３１３は、入力装置１６０に対して受信処理の実行を指示する受信操作が行われたことに基づいて、受信制御部３１１を動作させる。これにより、受信制御部３１１は、受信装置１２１を作動して測時モードまたは測位モードでの手動受信処理を行う。
具体的には、動作制御部３１３は、ユーザーが入力装置１６０のＢボタン６２を、３秒以上６秒未満押して強制受信操作を行い、検出装置１７０から受信操作信号が出力された場合、受信制御部３１１を作動し、測時モードでの手動受信処理を実行させる。
測時モードでの手動受信処理が行われると、受信装置１２１は、少なくとも１つのＧＰＳ衛星１００を捕捉し、そのＧＰＳ衛星１００から送信される衛星信号を受信して時刻情報を取得する。
また、動作制御部３１３は、Ｂボタン６２を６秒以上押して強制受信操作を行った場合に、受信制御部３１１を作動し、測位モードでの手動受信処理を実行させる。
測位モードでの手動受信処理が行われると、受信装置１２１は、少なくとも３個、好ましくは４個以上のＧＰＳ衛星１００を捕捉し、各ＧＰＳ衛星１００から送信される衛星信号を受信して位置情報を算出して取得する。また、受信装置１２１は、衛星信号を受信した際に時刻情報も同時に取得できる。
【００７２】
動作制御部３１３は、自動受信処理または手動受信処理の受信処理が実行されている場合、指針２１，７１，９１の動作を制御して、受信処理に関する情報を指示させる。
また、動作制御部３１３は、衛星信号の受信に成功して時刻情報または測位情報を取得できた場合、または、衛星信号の受信に成功しないまま予め設定された受信時間が経過した場合（受信に失敗した場合）、指針２１の動作を制御して、衛星信号の受信結果を指示させる。
【００７３】
動作制御部３１３は、Ｃボタン６３が押されることで、計測処理の実行を指示するクロノグラフ実行操作（計測操作）が行われ、検出装置１７０から計測操作信号が出力された場合に、クロノグラフ部３１２を動作させる。これにより、クロノグラフ部３１２は、時間を計測する計測処理を開始する。ここで、クロノグラフ部３１２は、本発明の計測部を構成する。そして、動作制御部３１３は、指針２１，７１，９１の動作を制御して、計測時間を指示させる。
【００７４】
動作制御部３１３は、受信処理の実行中に、計測操作信号が入力されると、動作中の受信制御部３１１に加えてクロノグラフ部３１２を動作させ、受信処理に関する情報を指示している指針２１，７１，９１の動作を制御し、計測時間を指示させる。つまり、指針２１は、それまでの補足衛星数の表示からクロノグラフの秒を指示する位置に移動し、指針７１は、受信中を示す「Ｒｘ」の位置からクロノグラフの分を指示する位置に移動し、指針９１は、受信モードを示す「１」または「４＋」の位置から、クロノグラフの時を指示する位置に移動する。そして、動作制御部３１３は、指針８１を制御し、指針８１はそれまでの秒表示から、受信中を示す「Ｒｘ」の位置へ移動する。
また、動作制御部３１３は、後述するクロノグラフ制御処理の実行中に、自動受信条件に該当した場合、または、受信操作信号が入力された場合、動作中のクロノグラフ部３１２に加えて受信制御部３１１を動作させ、指針２１，７１，９１に計測時間を指示させる。すなわち、指針２１，７１，９１は計測時間の表示を維持する。そして、指針８１に、受信中であることを表示させる。つまり、指針８１は、内部時計の「秒」を指示する位置から「Ｒｘ」の位置に移動する。
また、動作制御部３１３は、受信処理およびクロノグラフ制御処理が同時に実行されている状態から、クロノグラフ制御処理が先に終了した場合、指針２１，７１，９１の動作を制御して、受信処理に関する情報を指示させる。すなわち、指針２１，７１，９１は、クロノグラフ制御処理終了時の位置から、各々、捕捉衛星数、「Ｒｘ」、「１」または「４＋」の位置へ移動する。そして、動作制御部３１３は、指針８１の動作を制御し、指針８１は、「Ｒｘ」から内部時計の「秒」を指示する位置に移動する。その後、受信処理が終了すると、指針２１は、「Ｙ」または「Ｎ」を指示する位置へ移動した後、０秒位置に移動する。指針７１は０分位置、指針９１は、現在の電池の残量に応じた位置、指針８１は、内部時計の「秒」を示す位置へ移動する。
また、動作制御部３１３は、受信処理およびクロノグラフ制御処理が同時に実行されている状態から、受信処理が先に終了し、その後にクロノグラフ制御処理が終了した場合、指針２１の動作を制御して、受信結果を指示させる。すなわち、指針２１は、クロノグラフ制御処理終了時の位置から、「Ｙ」または「Ｎ」を指示する位置へ移動する。指針７１は０分位置、指針９１は、「１」または「４＋」を指示する位置、指針８１は、内部時計の「秒」を示す位置へ移動する。その後、指針２１は、０秒位置に移動し、指針９１は、現在の電池の残量に応じた位置に移動する。
【００７５】
［タイムゾーン設定部］
タイムゾーン設定部３１４は、受信制御部３１１による測位モードでの手動受信処理で位置情報の取得に成功した場合、取得した位置情報（緯度、経度）に基づいてタイムゾーンデータを設定する。具体的には、タイムゾーンデータ記憶部２２０から位置情報に対応するタイムゾーンデータ（タイムゾーン情報つまり時差情報）を選択して取得し、タイムゾーンデータ２１５に記憶する。
例えば、日本標準時（ＪＳＴ）は、ＵＴＣに対して９時間進めた時刻（ＵＴＣ＋９）であるため、取得した位置情報が日本である場合には、タイムゾーン設定部３１４は、タイムゾーンデータ記憶部２２０から日本標準時の時差情報（＋９時間）を読み出してタイムゾーンデータ２１５に記憶する。
【００７６】
［タイムゾーン修正部］
タイムゾーン修正部３１５は、タイムゾーン設定部３１４がタイムゾーンデータを設定すると、時計表示用時刻データ２１４を、前記タイムゾーンデータを用いて修正する。このため、時計表示用時刻データ２１４は、ＵＴＣである内部時刻データ２１３にタイムゾーンデータを加算した時刻となる。
【００７７】
［時刻修正部］
時刻修正部３１６は、受信制御部３１１による受信処理で時刻情報の取得に成功した場合、取得した時刻情報を受信時刻データ２１１に記憶する。これにより、内部時刻データ２１３および時計表示用時刻データ２１４が修正される。
【００７８】
［動作制御処理］
次に、電子時計１０の動作制御処理について、図６のフローチャートに基づいて説明する。
図６に示すように、動作制御処理が開始されると、動作制御部３１３は、受信処理に関する情報の表示を規制する受信表示規制フラグ（ＯＮ：規制中、ＯＦＦ：規制解除中）をＯＦＦに変更して初期化する（Ｓ１）。なお、受信表示規制フラグは、後述するクロノグラフ制御処理Ｓ３０が開始されるとＯＮに変更され、クロノグラフ制御処理Ｓ３０が終了するときにＯＦＦに変更される。
次に、動作制御部３１３は、自動受信条件に該当したか否か、または、入力装置１６０に対して受信処理を実行させる受信操作（Ｂボタン６２の３秒以上の押込操作）があったか否かを判定する。すなわち、動作制御部３１３は、衛星信号の受信処理を実行させる命令があったか否かを判定する（Ｓ２）。
Ｓ２でＹＥＳと判定された場合、動作制御部３１３は、後述する受信制御処理Ｓ１０を開始する（Ｓ３）。なお、この場合、動作制御部３１３は、図６に示す動作制御処理と並行して、図７に示す受信制御処理Ｓ１０を実行する。
【００７９】
Ｓ２でＮＯと判定された場合、または、Ｓ３で受信制御処理Ｓ１０を開始した後、動作制御部３１３は、入力装置１６０に対して計測処理を実行させるクロノグラフ実行操作（Ｃボタン６３の押込操作）があったか否かを判定する（Ｓ４）。
Ｓ４でＹＥＳと判定された場合、動作制御部３１３は、受信表示規制フラグをＯＮに変更し（Ｓ５）、図８に示すクロノグラフ制御処理Ｓ３０を開始する（Ｓ６）。なお、この場合、動作制御部３１３は、図６に示す動作制御処理と並行して、クロノグラフ制御処理Ｓ３０を実行する。
Ｓ４でＮＯと判定された場合、または、Ｓ６でクロノグラフ制御処理Ｓ３０を開始した後、動作制御部３１３は、処理をＳ１に戻す。このようにして、Ｓ１〜Ｓ６の処理は電子時計１０の動作中、繰り返し実行される。
【００８０】
［受信制御処理］
次に、受信制御処理Ｓ１０について、図７のフローチャートに基づいて説明する。
図７に示すように、受信制御処理Ｓ１０が開始されると、動作制御部３１３は、受信制御部３１１を作動し、衛星信号の受信処理を開始させる（Ｓ１１）。
次に、動作制御部３１３は、受信表示規制フラグがＯＮであるかを判定する（Ｓ１２）。
Ｓ１２でＮＯと判定された場合、動作制御部３１３は、図９に示すように、指針２１に衛星捕捉数を指示させ、指針７１に衛星信号を受信中であることを示す「Ｒｘ」を指示させ、指針９１に測時モードを示す「１」または測位モードを示す「４＋」を指示させる。また、動作制御部３１３は、指針８１に内部時計の「秒」を指示させる（Ｓ１３）。なお、受信制御部３１１とクロノグラフ部３１２が両方動作している状態から、クロノグラフ部３１２の動作が終了した直後は、指針８１は「Ｒｘ」を指示している。この場合、動作制御部３１３は、Ｓ１３で指針８１を「Ｒｘ」の位置から「秒」を指示する位置に移動させる。
一方、Ｓ１２でＹＥＳと判定された場合は、クロノグラフ制御処理Ｓ３０が実行されており、図１０に示すように、指針２１，７１，９１は、計測時間を指示している。この場合、動作制御部３１３は、指針８１に衛星信号の受信中を示す「Ｒｘ」を指示させる。ここで、指針２１，７１，９１は、引き続き計測時間を指示する（Ｓ１４）。
【００８１】
Ｓ１３，Ｓ１４の処理の後、動作制御部３１３は、受信制御部３１１が受信処理により衛星信号の受信に成功して時刻情報を取得できたか否かを判定する（Ｓ１５）。
Ｓ１５でＮＯと判定された場合、動作制御部３１３は、受信処理が開始されてから予め設定された受信時間が経過したか否かを判定する（Ｓ１６）。
Ｓ１６でＮＯと判定された場合は、動作制御部３１３は、処理をＳ１２に戻す。すなわち、Ｓ１５でＹＥＳと判定される場合を除いて、前記受信時間が経過するまで、Ｓ１２〜Ｓ１６の処理が繰り返し実行される。
【００８２】
Ｓ１５でＹＥＳと判定された場合、動作制御部３１３は、時刻修正部３１６を作動し、取得された時刻情報を受信時刻データ２１１に記憶する。これにより、内部時刻データ２１３および時計表示用時刻データ２１４が修正される（Ｓ１７）。
Ｓ１７の処理の後、または、Ｓ１６でＹＥＳと判定された場合、動作制御部３１３は、受信制御部３１１の動作を終了させ、受信処理を終了させる（Ｓ１８）。
【００８３】
次に、動作制御部３１３は、受信表示規制フラグがＯＮであるかを判定する（Ｓ１９）。
Ｓ１９でＮＯと判定された場合、動作制御部３１３は、図１１に示すように、指針２１に受信結果を示す「Ｙ」または「Ｎ」を指示させ（図１１では「Ｙ」を指示）、指針７１に「６０」の数字を指示させる。また、指針９１に測時モードを示す「１」または測位モードを示す「４＋」を指示させる。また、動作制御部３１３は、指針８１に内部時計の「秒」を指示させる（Ｓ２０）。
一方、Ｓ１９でＹＥＳと判定された場合は、クロノグラフ制御処理Ｓ３０が実行されており、指針２１，７１，９１は、計測時間を指示している。この場合、動作制御部３１３は、指針８１に内部時計の「秒」を指示させる。ここで、指針２１，７１，９１は、引き続き計測時間を指示する（Ｓ２１）。
【００８４】
Ｓ２０，Ｓ２１の処理の後、動作制御部３１３は、受信結果の表示を終了させる入力操作（Ｂボタン６２の押込操作）があったか否かを判定する（Ｓ２２）。
Ｓ２２でＮＯと判定された場合、動作制御部３１３は、受信結果を表示してから予め設定された表示時間が経過したか否かを判定する（Ｓ２３）。
Ｓ２３でＮＯと判定された場合は、動作制御部３１３は、処理をＳ１９に戻す。すなわち、Ｓ２２でＹＥＳと判定される場合を除いて、前記表示時間が経過するまで、Ｓ１９〜Ｓ２３の処理が繰り返し実行される。
Ｓ２２でＹＥＳと判定された場合、または、Ｓ２３でＹＥＳと判定された場合、動作制御部３１３は、受信制御処理Ｓ１０を終了する。
【００８５】
［クロノグラフ制御処理］
次に、クロノグラフ制御処理Ｓ３０について、図８のフローチャートに基づいて説明する。
図８に示すように、クロノグラフ制御処理Ｓ３０が開始されると、動作制御部３１３は、クロノグラフ部３１２を作動し、計測処理を開始させる（Ｓ３１）。そして、図１０に示したように、指針２１，７１，９１に計測時間を指示させる（Ｓ３２）。ここで、指針２１，７１，９１が直前まで受信処理に関する情報を指示していた場合には、動作制御部３１３は、指針２１，７１，９１を早送りで移動させて計測時間を指示させる。
【００８６】
次に、動作制御部３１３は、Ｃボタン６３が押されたか否かを判定する（Ｓ３３）。
Ｓ３３でＮＯと判定された場合、動作制御部３１３は、Ｓ３３の判定処理を繰り返す。
一方、Ｓ３３でＹＥＳと判定された場合、動作制御部３１３は、クロノグラフ部３１２の動作を終了し、計測処理を終了させる（Ｓ３４）。
【００８７】
次に、動作制御部３１３は、Ｄボタン６４が押されたか否かを判定する（Ｓ３５）。
Ｓ３５でＮＯと判定された場合、動作制御部３１３は、Ｃボタン６３が押されたか否かを判定する（Ｓ３６）。
Ｓ３６でＮＯと判定された場合、動作制御部３１３は、処理をＳ３５に戻す。一方、Ｓ３６でＹＥＳと判定された場合、動作制御部３１３は、処理をＳ３１に戻し、クロノグラフ部３１２を動作させ、計測処理を再度開始させる。
一方、Ｓ３５でＹＥＳと判定された場合、動作制御部３１３は、クロノグラフ部３１２が計測した計測時間をリセットする（Ｓ３７）。そして、動作制御部３１３は、受信表示規制フラグをＯＦＦに変更する（Ｓ３８）。
次に、動作制御部３１３は、クロノグラフ制御処理Ｓ３０の実行中に受信制御処理Ｓ１０が実行され、かつ、受信制御処理Ｓ１０が先に終了している場合は、受信結果を指針２１に指示させ（Ｓ３９）、クロノグラフ制御処理Ｓ３０を終了する。
【００８８】
［第１実施形態の作用効果］
受信処理の実行中に、クロノグラフ実行操作が行われると、動作制御部３１３は、クロノグラフ部３１２を動作させ、指針２１，７１，９１に計測時間を指示させる。このため、ユーザーは、受信処理が実行されていても、入力装置１６０に対してクロノグラフ実行操作を行うことで、任意のタイミングで時間を計測でき、かつ、計測時間を確認できる。
ここで、時間の計測は、ユーザーが計測を開始したいと考えたタイミングで直ちに行う必要がある。また、捕捉衛星数、受信中であることの表示、受信モード、受信結果等の受信処理に関する情報と比較して、計測時間等の計測処理に関する情報については、時間経過に応じて変化し易い情報であるため、計測処理に関する情報を確認しながら時間の計測を行う場合、計測処理の実行中、計測処理に関する情報を継続して確認したいと考えることが多い。したがって、任意のタイミングで時間を計測でき、かつ、計測処理に関する情報を確認できることで、電子時計１０の使い易さを向上できる。
また、受信処理を行う目的は正確な時刻を表示するためであり、ユーザーは、捕捉衛星数、受信中であることの表示、受信モード、受信結果等の受信処理に関する情報を知ること自体を目的とはしていない。これに対して、計測処理については、ユーザーは、計測時間等の計測処理に関する情報を知ること自体を目的としている。したがって、計測処理に関する情報を確認できることで、電子時計１０の使い易さを向上できる。
また、受信処理の実行中に、クロノグラフ実行操作が行われ、クロノグラフ部３１２が動作しても、受信処理は継続されるため、衛星信号から時刻情報を取得できる機会を逃すことがない。
【００８９】
クロノグラフ制御処理Ｓ３０の実行中に、自動受信条件に該当した場合、または、受信操作が行われた場合、動作制御部３１３は、受信制御部３１１を動作させ、受信制御処理Ｓ１０を開始させる。このとき、受信表示規制フラグはＯＮであるため、受信制御処理Ｓ１０が実行されても、Ｓ１２でＹＥＳと判定されるため、Ｓ１３の指針２１，７１，９１による受信処理に関する情報の指示は行われない。このため、指針２１，７１，９１は、引き続き計測時間を指示する。
このため、ユーザーは、時間を計測している際に、自動受信条件に該当して受信処理が実行されても、引き続き時間を計測でき、かつ、計測時間を確認できる。
また、クロノグラフ部３１２の動作中でも、自動受信条件に該当すれば、受信処理が実行されるため、衛星信号から時刻情報を取得できる機会を逃すことがない。
なお、受信制御部３１１は、光自動受信処理を行うため、受信が屋外で行われる可能性が高く、比較的高い確率で時刻情報を取得できる。また、比較的短時間で時刻情報を取得できるため、受信制御部３１１の動作時間を短くでき、受信制御部３１１とクロノグラフ部３１２が同時に動作している時間も短くできる。これにより、省電力化できるとともに、処理負荷を低減できる。
また、ユーザーは、時間を計測している際に、受信処理を実行させたいと考え、受信操作を行えば、受信処理を実行させることができる。
【００９０】
指針２１，７１，９１は、それぞれ、受信処理に関する情報および計測時間を指示するため、受信処理に関する情報を指示する指針と、計測時間を指示する指針とが別々に設けられている場合と比べて、電子時計１０が備える指針の数を少なくできる。
【００９１】
受信処理およびクロノグラフ制御処理Ｓ３０が同時に実行されている状態から、クロノグラフ制御処理Ｓ３０が先に終了した場合、受信表示規制フラグがＯＦＦに変更されるため、受信制御処理Ｓ１０において、Ｓ１２でＮＯと判定される。そして、Ｓ１３で、指針２１，７１，９１は、計測時間を指示する状態から、自動的に受信処理に関する情報を指示する状態に切り替わる。このため、ユーザーは、入力装置１６０を操作することなく、受信処理に関する情報を確認できる。
【００９２】
受信処理およびクロノグラフ制御処理Ｓ３０が同時に実行されている状態から、受信処理が先に終了し、その後にクロノグラフ制御処理Ｓ３０が終了した場合、指針２１は、計測時間を指示する状態から受信結果を指示する状態に切り替わる。すなわち、クロノグラフ制御処理Ｓ３０が終了したとき、受信制御処理Ｓ１０で受信処理終了後の処理（Ｓ１９〜Ｓ２３）が行われている場合には、Ｓ１９でＮＯと判定され、Ｓ２０で指針２１は、計測時間を指示する状態から受信結果を指示する状態に切り替わる。一方、受信制御処理Ｓ１０が終了している場合には、クロノグラフ制御処理Ｓ３０のＳ３９で指針２１は、計測時間を指示する状態から受信結果を指示する状態に切り替わる。このため、ユーザーは、入力装置１６０を操作することなく、受信結果を確認できる。
【００９３】
受信処理およびクロノグラフ制御処理Ｓ３０が実行され、指針２１，７１，９１が計測時間を指示していても、指針８１が、衛星信号の受信中であることを示す「Ｒｘ」を指示するため、ユーザーは、衛星信号を受信中であることを確認できる。これにより、ユーザーは、屋外から屋内に移動するなど、衛星信号の受信に適さない行動をとることを控えることができ、また、電子時計１０が衛星信号を通過させないもの等で隠れることがないように注意することができる。これにより、時刻情報の取得に成功する確率を向上できる。
また、指針８１は、内部時計の「秒」の指示に兼用される指針であるため、衛星信号の受信中であることのみを指示する専用の指針を設ける場合と比べて、電子時計１０が備える指針の数を少なくでき、電子時計１０の構造を簡略化できる。
【００９４】
［第２実施形態］
第２実施形態の電子時計では、検出装置１７０は、入力装置１６０に対する表示の切り替えを指示する表示切替操作を検出し、当該表示切替操作を検出すると表示切替操作信号を出力する。
そして、動作制御部３１３は、受信処理およびクロノグラフ制御処理が実行されている場合、表示切替操作信号が入力されると、指針２１，７１，９１に受信処理に関する情報および計測時間を切り替えて指示させる。その他の構成は、第１実施形態の電子時計１０と同じである。
【００９５】
図１２は、第２実施形態のクロノグラフ制御処理Ｓ３０Ａを示すフローチャートである。クロノグラフ制御処理Ｓ３０ＡのＳ３１〜Ｓ３９は、第１実施形態のクロノグラフ制御処理Ｓ３０と同じため、説明を省略する。
クロノグラフ制御処理Ｓ３０Ａでは、Ｓ３２の処理の後、および、Ｓ３４の処理の後に、動作制御部３１３は、表示切替判定処理Ｓ４０を実行する。
図１３は、表示切替判定処理Ｓ４０を示すフローチャートである。
図１３に示すように、表示切替判定処理Ｓ４０が開始されると、動作制御部３１３は、入力装置１６０に対して表示切替操作が行われたか否かを判定する（Ｓ４１）。
Ｓ４１でＮＯと判定された場合、動作制御部３１３は、表示切替判定処理Ｓ４０を終了する。
【００９６】
一方、Ｓ４１でＹＥＳと判定された場合、動作制御部３１３は、クロノグラフ制御処理Ｓ３０Ａと並行して受信制御処理Ｓ１０が実行されているか否かを判定する（Ｓ４２）。
Ｓ４２でＹＥＳと判定された場合、指針２１，７１，９１によって、計測時間が指示されているか否かを判定する（Ｓ４３）。
Ｓ４３でＹＥＳと判定された場合、動作制御部３１３は、受信表示規制フラグをＯＦＦに変更し（Ｓ４４）、表示切替判定処理Ｓ４０を終了する。この結果、受信制御処理Ｓ１０のＳ１３の処理またはＳ２０の処理が実行されることで、指針２１，７１，９１は、それぞれ受信処理に関する情報を指示する。
一方、Ｓ４３でＮＯと判定された場合、すなわち、表示切替操作が既に行われ、指針２１，７１，９１が受信処理に関する情報を指示している場合、また、Ｓ４２でＮＯと判定された場合、動作制御部３１３は、受信表示規制フラグをＯＮに変更し、指針２１，７１，９１に計測時間を指示させ（Ｓ４５）、表示切替判定処理Ｓ４０を終了する。なお、このとき、指針８１は、クロノグラフ制御処理Ｓ３０Ａと並行して受信制御処理Ｓ１０が実行されていない場合は、内部時計の「秒」を指示し、受信制御処理Ｓ１０が実行されている場合は、受信中を示す「Ｒｘ」を指示している。
【００９７】
［第２実施形態の作用効果］
受信処理およびクロノグラフ制御処理Ｓ３０Ａが実行され、指針２１，７１，９１が計測時間を指示している場合でも、ユーザーは、時間の計測がしばらく続くような場合に受信処理に関する情報を確認したいと考えて、表示切替操作を行えば、受信処理に関する情報を確認できる。そして、受信処理に関する情報を確認した後、再び表示切替操作を行えば、計測時間を確認できる。
【００９８】
［第３実施形態］
第３実施形態の電子時計１０Ｂは、図１４に示すように、二次電池１３０の電池電圧を検出する電池残量検出装置１３２を備える。なお、電池残量検出装置１３２は、二次電池１３０の電池電圧ではなく、電池残容量を検出してもよい。ここで、電池残量検出装置１３２は、本発明の電池残量検出手段を構成する。
そして、動作制御部３１３は、受信制御部３１１の動作中に計測操作信号が入力された場合、または、クロノグラフ部３１２の動作中に受信処理を実行させる命令があった場合は、電池残量検出装置１３２の検出値を予め設定された閾値と比較することで、電池の残量が所定量以上あるか否かを判定する。
そして、検出値が閾値以上の場合は、受信制御部３１１およびクロノグラフ部３１２を動作させる。
また、検出値が閾値未満であり、かつ、受信制御部３１１が動作中の場合は、受信制御部３１１の終了動作と、クロノグラフ部３１２の作動動作とを開始させる。また、検出値が閾値未満であり、かつ、クロノグラフ部３１２が動作中の場合は、受信制御部３１１の作動動作は開始させない。なお、その他の構成は、第１実施形態の電子時計１０と同じである。
【００９９】
図１５は、第３実施形態の動作制御処理を示すフローチャートである。動作制御処理のＳ１〜Ｓ６は、第１実施形態の動作制御処理と同じため、説明を省略する。
第３実施形態の動作制御処理では、受信処理を実行させる命令があり、Ｓ２でＹＥＳと判定された場合、動作制御部３１３は、クロノグラフ部３１２が動作中か否かを判定する（Ｓ５１）。
Ｓ５１でＹＥＳと判定された場合、動作制御部３１３は、電池残量検出装置１３２の検出値が閾値以上か否かを判定する（Ｓ５２）。Ｓ５２でＹＥＳと判定された場合、または、Ｓ５１でＮＯと判定された場合、動作制御部３１３は、Ｓ３で受信制御処理Ｓ１０を開始させる。
一方、Ｓ５２でＮＯと判定された場合、すなわち、前記検出値が閾値未満の場合は、電池残量が低下していると判断できるため、受信制御処理Ｓ１０を開始させることなく、処理をＳ４に進める。
【０１００】
また、入力装置１６０に対してクロノグラフ実行操作が行われ、Ｓ４でＹＥＳと判定された場合、動作制御部３１３は、受信制御部３１１が動作中か否かを判定する（Ｓ５３）。Ｓ５３でＹＥＳと判定された場合、動作制御部３１３は、電池残量検出装置１３２の検出値が閾値以上か否かを判定する（Ｓ５４）。Ｓ５４でＹＥＳと判定された場合、または、Ｓ５３でＮＯと判定された場合、動作制御部３１３は、Ｓ５で受信表示規制フラグをＯＮに変更し、Ｓ６でクロノグラフ制御処理Ｓ３０を開始させる。
一方、Ｓ５４でＮＯと判定された場合、すなわち、前記検出値が閾値未満の場合は、動作制御部３１３は、受信制御部３１１の終了動作を開始させる。そして、処理をＳ５，Ｓ６へと進め、クロノグラフ制御処理Ｓ３０を開始させる。
【０１０１】
［第３実施形態の作用効果］
電池残量検出装置１３２の検出値が閾値未満の場合、すなわち、二次電池１３０の残量が低下している場合、受信制御部３１１およびクロノグラフ部３１２が同時に動作することが規制される。このため、受信制御部３１１およびクロノグラフ部３１２が同時に動作することがある場合と比べて、消費電力を低減できるため、突然のシステムダウンを抑制でき、かつ、二次電池１３０の持続時間を長くできる。
また、クロノグラフ部３１２が受信制御部３１１よりも優先して動作することで、電子時計１０を使い易くできる。
【０１０２】
［変形例］
なお、本発明は前述の実施形態に限定されるものではなく、本発明の目的を達成できる範囲での変形、改良等は本発明に含まれるものである。
前記各実施形態では、指針２１，７１，９１は、受信処理に関する情報として、捕捉衛星数、受信中であることの表示、受信モードを指示するが、本発明はこれに限らない。例えば、受信した衛星信号の信号レベルを指示してもよい。また、各指針２１，７１，９１は、捕捉衛星数、受信中であることの表示、受信モード、信号レベルのうちの少なくとも一つを指示すればよい。
また、前記各実施形態では、指針２１，７１，９１は、クロノグラフ処理に関する情報として、計測時間を指示するが、本発明はこれに限らない。すなわち、クロノグラフ処理に関する他の情報を指示してもよい。クロノグラフ処理に関する他の情報としては、ラップタイム、スプリットタイム、速度等が例示できる。ラップタイムは、前の経過時間の計測が終わる瞬間を起点として開始された次の計測における経過時間である。スプリットタイムは、スタート時点から計測途中の時点までの経過時間である。速度は、計測時間と、予め設定されている距離とから計算された値である。
また、前記各実施形態では、指針２１は、クロノグラフの秒と捕捉衛星数の指示とを兼用し、指針７１は、クロノグラフの分と受信中であることの指示とを兼用し、指針９１は、クロノグラフの時と受信モードの指示とを兼用していたが、例えばクロノグラフの分と捕捉衛星数の指示とを兼用するなど、異なる組合せであってもよい。
また、前記各実施形態では、クロノグラフの計測動作で使用される指針はすべて受信処理中の表示と兼用されていたが、計測動作で使用される指針のうちの一つが受信処理の表示と兼用されているものであってもよい。例えば、指針２１、７１は計測時間を指示し、指針９１が計測時間と受信処理に関する情報の指示とを兼用してもよい。この場合、第２実施形態における表示切替指示があった場合は、指針２１、７１は計測時間の指示を維持し、指針９１のみ、計測時間と受信処理に関する情報とで表示を切り替えるようにしてもよい。
【０１０３】
前記各実施形態では、動作制御部３１３は、クロノグラフ制御処理の実行中に受信処理を開始させる命令があった場合、受信処理が自動受信処理か手動受信処理かに関わらず、指針２１，７１，９１に計測時間を指示させているが、本発明はこれに限らない。例えば、手動受信処理の場合には、計測時間の指示を行わず、指針２１，７１，９１に受信処理に関する情報を指示させ、自動受信処理の場合には、指針２１，７１，９１に計測時間を指示させてもよい。
また、前記各実施形態では、動作制御部３１３は、クロノグラフ制御処理の実行中に受信処理を開始させる命令があった場合、常に、指針２１，７１，９１に計測時間を指示させているが、本発明はこれに限らない。例えば、クロノグラフ制御処理の実行中であっても、計測処理が終了している場合、すなわち、クロノグラフ部３１２が動作していない場合には、指針２１，７１，９１に受信処理に関する情報を指示させてもよい。
【０１０４】
前記各実施形態では、受信処理の実行中に、クロノグラフ実行操作が行われると、動作制御部３１３は、クロノグラフ部３１２を動作させ、指針２１，７１，９１に計測時間を指示させる。また、クロノグラフ制御処理の実行中に、受信処理を実行させる命令があると、動作制御部３１３は、受信制御部３１１を動作させ、指針２１，７１，９１に計測時間を指示させる。しかしながら、本発明はこれに限らない。すなわち、上記２つの処理のうち、一方のみを実行してもよい。
【０１０５】
前記各実施形態では、受信処理およびクロノグラフ制御処理が同時に実行されている状態から、クロノグラフ制御処理が先に終了した場合、動作制御部３１３は、指針２１，７１，９１に受信処理に関する情報を指示させるが、本発明はこれに限らない。すなわち、指針２１、７１，９１に受信処理に関する情報を指示させず、通常の時刻表示を行わせてもよい。
前記各実施形態では、受信処理およびクロノグラフ制御処理が同時に実行されている状態から、受信処理が先に終了し、その後にクロノグラフ制御処理が終了した場合、動作制御部３１３は、指針２１に受信結果を指示させるが、本発明はこれに限らない。すなわち、指針２１に受信結果を指示させなくてもよい。
【０１０６】
前記各実施形態では、動作制御部３１３は、受信処理およびクロノグラフ制御処理が実行されている場合、指針８１に衛星信号の受信中であることを指示させるが、本発明はこれに限らない。すなわち、衛星信号の受信中であることを指示させなくてもよい。
また、動作制御部３１３は、受信処理およびクロノグラフ制御処理が実行されている場合に加えて、クロノグラフ制御処理が実行されず受信処理が実行されている場合も、指針８１に衛星信号の受信中であることを指示させてもよい。この場合、指針７１に受信中であることを指示させなくてもよく、受信中を指示させるための指針が一つでよいという利点がある。
また、前記各実施形態では、指針８１は、衛星信号の受信中であることの指示と、内部時計の「秒」の指示とに兼用されているが、本発明はこれに限らない。すなわち、衛星信号の受信中であることの指示と、内部時計の「分」や「時」、または、それ以外の情報の指示とに兼用されていてもよい。また、指針８１に替えて、液晶表示装置等の表示手段を用いてもよい。
【０１０７】
前記各実施形態では、本発明の計測部は、クロノグラフ部３１２で構成されているが、本発明はこれに限らない。すなわち、計測部は、予め設定された時間からカウントダウン形式で時間を計測するタイマーであってもよい。
【０１０８】
前記各実施形態では、位置情報衛星の例として、ＧＰＳ衛星１００について説明したが、本発明はこれに限らない。例えば、位置情報衛星としては、ガリレオ（ＥＵ）、ＧＬＯＮＡＳＳ（ロシア）、Ｂｅｉｄｏｕ（中国）などの他の全地球的公航法衛星システム（ＧＮＳＳ）で利用される衛星が適用できる。また、静止衛星型衛星航法補強システム（ＳＢＡＳ）などの静止衛星や、準天頂衛星等の特定の地域のみで検索できる地域的衛星測位システム（ＲＮＳＳ）などの衛星も適用できる。
【符号の説明】
【０１０９】
１０，１０Ｂ…電子時計、１００…ＧＰＳ衛星、１１…文字板、１２１…受信装置、１３０…二次電池、１３２…電池残量検出装置、１３５…ソーラーパネル、１３６…光量検出装置、１４１…表示装置、１６０…入力装置、１７０…検出装置、２００…記憶装置、２１，７１，８１，９１…指針、３００…制御装置、３１１…受信制御部、３１２…クロノグラフ部、３１３…動作制御部、４０…ダイヤルリング、５０…リューズ、６１…Ａボタン、６２…Ｂボタン、６３…Ｃボタン、６４…Ｄボタン、７０…第１小窓、８０…第２小窓、９０…第３小窓。
【図１】
0006500465.tif 000002
【図２】
0006500465.tif 000003
【図３】
0006500465.tif 000004
【図４】
0006500465.tif 000005
【図５】
0006500465.tif 000006
【図６】
0006500465.tif 000007
【図７】
0006500465.tif 000008
【図８】
0006500465.tif 000009
【図９】
0006500465.tif 000010
【図１０】
0006500465.tif 000011
【図１１】
0006500465.tif 000012
【図１２】
0006500465.tif 000013
【図１３】
0006500465.tif 000014
【図１４】
0006500465.tif 000015
【図１５】
0006500465.tif 000016